【手続補正書】
【提出日】平成17年9月1日(2005.9.1)
【手続補正１】
【補正対象書類名】明細書
【補正対象項目名】発明の名称
【補正方法】変更
【補正の内容】
【発明の名称】直交周波数分割多重（ＯＦＤＭ）受信器の等化器を初期化する方法および装置
【手続補正２】
【補正対象書類名】明細書
【補正対象項目名】特許請求の範囲
【補正方法】変更
【補正の内容】
【特許請求の範囲】
【請求項１】  直交周波数分割多重（ＯＦＤＭ）受信器の等化器を初期化する方法であって、
（ａ）等化器の第１のタップが第１の限界未満であること、および（ｂ）第１のＯＦＤＭ信号と第２のＯＦＤＭ信号との間の時間が第２の限界未満であることに少なくとも部分的に基づいて、第１のタップの初期化を禁止するステップ
を含む、前記方法。
【請求項２】  前記第１のタップの適応化をイネーブルするステップ
をさらに含む、請求項１に記載の方法。
【請求項３】  前記等化器の第２のタップが第３の限界以上であることに少なくとも部分的に基づいて、前記第２のタップの初期化をイネーブルするステップを含み、前記第２のタップの初期化をイネーブルする前記ステップが、前記第１のタップの前記適応化をイネーブルする前記ステップと同時に発生する、請求項２に記載の方法。
【請求項４】  前記第２のタップを初期化するステップを含み、前記第２のタップを初期化する前記ステップが、前記第１のＯＦＤＭ信号のトレーニング部分に基づいて前記第２のタップを初期化することを含む、請求項３に記載の方法。
【請求項５】  前記第１のタップを適応化させるステップを含み、前記第１のタップを適応化させる前記ステップが、前記第１のＯＦＤＭ信号のデータ部分に基づいて前記第１のタップを適応化させることを含む、請求項４に記載の方法。
【請求項６】  前記第１の限界および前記第３の限界が同一である、請求項５に記載の方法。
【請求項７】  前記第１のＯＦＤＭ信号および前記第２のＯＦＤＭ信号の少なくとも１つを無線ローカル・エリア・ネットワークを介して受信するステップを含む、請求項６に記載の方法。
【請求項８】  前記第１のＯＦＤＭ信号および前記第２のＯＦＤＭ信号の少なくとも１つを、ポータブル・コンピュータおよびデスクトップ・コンピュータの少なくとも１つに受信するステップを含む、請求項６に記載の方法。
【請求項９】  直交周波数分割多重（ＯＦＤＭ）受信器の等化器を初期化する方法であって、
スタートアップ時に前記等化器の複数のタップを初期化するステップと、
ＯＦＤＭ信号と後続ＯＦＤＭ信号との間で、所定の時間が経過した時に前記複数のタップを再初期化するステップと、
少なくとも１つのタップの発散時に前記タップを選択的に再初期化するステップと、
を含む、前記方法。
【請求項１０】  初期化する前記ステップが、スタートアップＯＦＤＭ信号のトレーニング部分に基づいて前記複数のタップを初期化することを含み、
再初期化する前記ステップが、前記後続ＯＦＤＭ信号のトレーニング部分に基づいて前記複数のタップを再初期化することを含み、
選択的に再初期化する前記ステップが、前記ＯＦＤＭ信号のトレーニング部分に基づいて前記少なくとも１つのタップを選択的に再初期化することを含む、請求項９に記載の方法。
【請求項１１】  前記ステップの何れか１つが、無線ローカル・エリア・ネットワークを介して前記各々のトレーニング部分を受信することを含む、請求項１０に記載の方法。
【請求項１２】  前記ステップの何れか１つが、前記各々のトレーニング部分を、ポータブル・コンピュータおよびデスクトップ・コンピュータの少なくとも１つに受信することを含む、請求項１０に記載の方法。
【請求項１３】  直交周波数分割多重（ＯＦＤＭ）受信器の等化器動作を初期化する装置であって、
少なくとも１つのタップを含む等化器と、
前記少なくとも１つのタップを設定するために、前記等化器に結合されたタップ初期化コントローラであって、前記タップ初期化コントローラが、（ａ）前記等化器の第１のタップが第１の限界未満であること、および、（ｂ）第１のＯＦＤＭ信号と第２のＯＦＤＭ信号との間の時間が第２の限界未満であることに少なくとも部分的に基づいて、前記第１のタップの初期化を禁止するように構成される、タップ初期化コントローラと、
を含む、前記装置。
【請求項１４】  前記タップ初期化コントローラが、前記第１のタップの適応化をイネーブルするように構成される、請求項１３に記載の装置。
【請求項１５】  前記タップ初期化コントローラが、前記等化器の第２のタップが第３の限界以上であることに少なくとも部分的に基づいて、前記第２のタップの初期化をイネーブルするように構成され、同時に、前記タップ初期化コントローラが、前記第１のタップの前記適応化を同時にイネーブルする、請求項１４に記載の装置。
【請求項１６】  前記タップ初期化コントローラが、前記第２のタップを初期化するように構成され、前記第１のＯＦＤＭ信号のトレーニング部分に基づいて前記第２のタップを初期化するように構成される、請求項１５に記載の装置。
【請求項１７】  前記タップ初期化コントローラが、前記第１のタップを適応化させるように構成され、前記第１のＯＦＤＭ信号のデータ部分に基づいて前記第１のタップを適応化させるように構成される、請求項１６に記載の装置。
【請求項１８】  前記第１の限界および前記第３の限界が同一である、請求項１７に記載の装置。
【請求項１９】  前記第１のＯＦＤＭ信号および前記第２のＯＦＤＭ信号の少なくとも１つを前記タップ初期化コントローラに供給するために、前記タップ初期化コントローラに結合された無線ローカル・エリア・ネットワーク受信器を含む、請求項１８に記載の装置。
【請求項２０】  前記タップ初期化コントローラが、ポータブル・コンピュータおよびデスクトップ・コンピュータの少なくとも１つにインストールされる、請求項１８に記載の装置。
【手続補正３】
【補正対象書類名】明細書
【補正対象項目名】０００９
【補正方法】変更
【補正の内容】
【０００９】
本発明の前述の長所、並びに追加の長所は、添付図面と共に検討される時の好ましい実施形態の詳細な説明の結果としてより完全に理解される。
特許請求の範囲と実施例との対応関係を実施例で使われている参照符号を用いて示すと以下の通りである。
（請求項１）  直交周波数分割多重（ＯＦＤＭ）受信器の等化器を初期化する方法であって、
（ａ）等化器の第１のタップが第１の限界（２４０）未満であること、および（ｂ）第１のＯＦＤＭ信号と第２のＯＦＤＭ信号との間の時間が第２の限界（２７０）未満であることに少なくとも部分的に基づいて、第１のタップの初期化を禁止するステップ
を含む、前記方法。
（請求項２）  前記第１のタップの適応化をイネーブルするステップ（２００，３４０）
をさらに含む、請求項１に記載の方法。
（請求項３）  前記等化器の第２のタップが第３の限界（２４０）以上であることに少なくとも部分的に基づいて、前記第２のタップの初期化をイネーブルするステップを含み、前記第２のタップの初期化をイネーブルする前記ステップが、前記第１のタップの前記適応化をイネーブルする前記ステップと同時に発生する、請求項２に記載の方法。
（請求項４）  前記第２のタップを初期化するステップ（２６０）を含み、前記第２のタップを初期化する前記ステップ（２６０）が、前記第１のＯＦＤＭ信号のトレーニング部分に基づいて前記第２のタップを初期化することを含む、請求項３に記載の方法。
（請求項５）  前記第１のタップを適応化させるステップ（３００，３４０）を含み、前記第１のタップを適応化させる前記ステップ（３００，３４０）が、前記第１のＯＦＤＭ信号のデータ部分に基づいて前記第１のタップを適応化させることを含む、請求項４に記載の方法。
（請求項６）  前記第１（２４０）の限界および前記第３の限界（２４０）が同一である、請求項５に記載の方法。
（請求項７）  前記第１のＯＦＤＭ信号および前記第２のＯＦＤＭ信号の少なくとも１つを無線ローカル・エリア・ネットワークを介して受信するステップを含む、請求項６に記載の方法。
（請求項８）  前記第１のＯＦＤＭ信号および前記第２のＯＦＤＭ信号の少なくとも１つを、ポータブル・コンピュータおよびデスクトップ・コンピュータの少なくとも１つに受信するステップを含む、請求項６に記載の方法。
（請求項９）  直交周波数分割多重（ＯＦＤＭ）受信器の等化器を初期化する方法であって、
スタートアップ時に前記等化器の複数のタップを初期化するステップ（２６０）と、
ＯＦＤＭ信号と後続ＯＦＤＭ信号との間で、所定の時間（２７０）が経過した時に前記複数のタップを再初期化するステップ（３２０）と、
少なくとも１つのタップの発散時に前記タップを選択的に再初期化するステップ（３００，３４０）と、
を含む、前記方法。
（請求項１０）  初期化する前記ステップ（２６０）が、スタートアップＯＦＤＭ信号のトレーニング部分に基づいて前記複数のタップを初期化することを含み、
再初期化する前記ステップ（３２０）が、前記後続ＯＦＤＭ信号のトレーニング部分に基づいて前記複数のタップを再初期化することを含み、
選択的に再初期化する前記ステップ（３００，３４０）が、前記ＯＦＤＭ信号のトレーニング部分に基づいて前記少なくとも１つのタップを選択的に再初期化することを含む、請求項９に記載の方法。
（請求項１１）  前記ステップの何れか１つが、無線ローカル・エリア・ネットワークを介して前記各々のトレーニング部分を受信することを含む、請求項１０に記載の方法。
（請求項１２）  前記ステップの何れか１つが、前記各々のトレーニング部分を、ポータブル・コンピュータおよびデスクトップ・コンピュータの少なくとも１つに受信することを含む、請求項１０に記載の方法。
（請求項１３）  直交周波数分割多重（ＯＦＤＭ）受信器の等化器動作を初期化する装置であって、
少なくとも１つのタップを含む等化器（７２）と、
前記少なくとも１つのタップを設定するために、前記等化器（７２）に結合されたタップ初期化コントローラ（１０８）であって、前記タップ初期化コントローラ（１０８）が、（ａ）前記等化器（７２）の第１のタップが第１の限界未満であること、および、（ｂ）第１のＯＦＤＭ信号と第２のＯＦＤＭ信号との間の時間が第２の限界未満であることに少なくとも部分的に基づいて、前記第１のタップの初期化を禁止するように構成される、タップ初期化コントローラと、
を含む、前記装置。
（請求項１４）  前記タップ初期化コントローラ（１０８）が、前記第１のタップの適応化をイネーブルするように構成される、請求項１３に記載の装置。
（請求項１５）  前記タップ初期化コントローラ（１０８）が、前記等化器（７２）の第２のタップが第３の限界以上であることに少なくとも部分的に基づいて、前記第２のタップの初期化をイネーブルするように構成され、同時に、前記タップ初期化コントローラ（１０８）が、前記第１のタップの前記適応化を同時にイネーブルする、請求項１４に記載の装置。
（請求項１６）  前記タップ初期化コントローラ（１０８）が、前記第２のタップを初期化するように構成され、前記第１のＯＦＤＭ信号のトレーニング部分に基づいて前記第２のタップを初期化するように構成される、請求項１５に記載の装置。
（請求項１７）  前記タップ初期化コントローラ（１０８）が、前記第１のタップを適応化させるように構成され、前記第１のＯＦＤＭ信号のデータ部分に基づいて前記第１のタップを適応化させるように構成される、請求項１６に記載の装置。
（請求項１８）  前記第１の限界および前記第３の限界が同一である、請求項１７に記載の装置。
（請求項１９）  前記第１のＯＦＤＭ信号および前記第２のＯＦＤＭ信号の少なくとも１つを前記タップ初期化コントローラに供給するために、前記タップ初期化コントローラ（１０８）に結合された無線ローカル・エリア・ネットワーク受信器を含む、請求項１８に記載の装置。
（請求項２０）  前記タップ初期化コントローラ（１０８）が、ポータブル・コンピュータおよびデスクトップ・コンピュータの少なくとも１つにインストールされる、請求項１８に記載の装置。